(57)【要約】【課題】タブ形式の画面において、目的とする処理を効率的に選択して実行させることができるようにする。【解決手段】表示制御装置において、制御部は、複数のタブのそれぞれに対応した複数のタブ画面５０，６０，７０のうち選択状態にあるタブのタブ画面を表示部に表示させる。複数のタブ画面のうち２つ以上のタブ画面に対し、共通領域４１を設定することができる。制御部は、表示部に表示されているタブ画面の共通領域４１に対して特定アイコンの配置操作が行われた場合、表示されているタブ画面の共通領域４１だけでなく、共通領域４１が設定されている全てのタブ画面のそれぞれの共通領域４１に対して、配置操作に基づく同じ特定アイコンを配置する。【選択図】図３
2019012388.tif 000002
【特許請求の範囲】
【請求項１】
表示部と、
入力部と、
制御部と、
を備えた表示制御装置であって、
前記制御部は、
前記表示部に、複数のタブ、及び前記複数のタブのそれぞれに対応した複数のタブ画面のうち選択状態にある１つの前記タブに対応したタブ画面、を表示させる表示処理、
を実行し、
前記複数のタブ画面はそれぞれ、複数のアイコンが配置可能であって、前記複数のアイコンには、特定の処理が対応付けられた特定アイコンが含まれ、
前記制御部は、さらに、
前記複数のタブ画面のうち、特定の共通領域を設定させる２つ以上の前記タブ画面を選択するための特定の選択操作を前記入力部を介して受け付ける選択受付処理と、
前記選択操作により選択された前記２つ以上の前記タブ画面をそれぞれ共通タブ画面として、各前記共通タブ画面に前記共通領域を設定する共通領域設定処理と、
前記表示部に前記共通タブ画面が表示されている場合に、その表示されている前記共通タブ画面内の前記共通領域に対する、前記特定アイコンを配置させるための特定の配置操作を前記入力部を介して受け付ける配置受付処理と、
前記配置操作に従って決定される前記特定の処理が対応付けられた前記特定アイコンを、全ての前記共通タブ画面における前記共通領域にそれぞれ配置する配置処理と、
を実行する表示制御装置。
【請求項２】
請求項１に記載の表示制御装置であって、
前記制御部は、さらに、
前記タブ画面内における前記共通領域の範囲を指定するための特定の範囲指定操作を前記入力部を介して受け付ける範囲受付処理、
を実行し、
前記共通領域設定処理は、前記範囲指定操作により指定された範囲を共通領域に設定する、
表示制御装置。
【請求項３】
請求項２に記載の表示制御装置であって、
前記制御部は、さらに、
前記共通領域設定処理により前記共通領域が設定された場合に、前記共通領域内にすでに前記特定アイコンが配置されている場合、前記共通領域内に配置されている前記特定アイコンを削除する削除処理、
を実行する表示制御装置。
【請求項４】
請求項１〜請求項３のいずれか１項に記載の表示制御装置であって、
前記制御部は、さらに、
前記タブ画面への前記共通領域の設定を有効又は無効に設定する有効無効設定処理、
を実行し、
前記選択受付処理は、前記有効無効設定処理により前記共通領域の設定が有効に設定されている場合に実行可能に構成されている、
表示制御装置。
【請求項５】
請求項４に記載の表示制御装置であって、
前記制御部は、さらに、
前記共通領域の設定が有効に設定されている状態から、前記有効無効設定処理により前記共通領域の設定が無効に設定変更された場合、前記設定変更の前の各前記共通タブ画面における前記共通領域の設定を解除する共通領域解除処理、
を実行する表示制御装置。
【請求項６】
請求項５に記載の表示制御装置であって、
前記制御部は、さらに、
前記共通領域解除処理によって各前記共通タブ画面における前記共通領域の設定が解除される場合に、前記共通領域内に前記特定アイコンが配置されている場合、次の（ａ）〜（ｃ）のいずれかの処理である解除関連処理、
を実行する表示制御装置。
（ａ）全ての前記共通タブ画面において前記共通領域内に配置されている前記特定アイコンを削除する処理。
（ｂ）全ての前記共通タブ画面において前記共通領域内に配置されている前記特定アイコンの配置状態を存続させる処理。
（ｃ）全ての前記共通タブ画面のうち特定の１つ以上の前記共通タブ画面における前記共通領域内に配置されている前記特定アイコンのみ配置状態を存続させて他の前記共通タブ画面における前記共通領域内に配置されている前記特定アイコンは削除する処理。
【請求項７】
表示部と、
入力部と、
制御部と、
を備えた表示制御装置で用いられる表示制御方法であって、
前記表示部に、複数のタブ、及び前記複数のタブのそれぞれに対応した複数のタブ画面のうち選択状態にある１つの前記タブに対応したタブ画面、を表示させる表示処理ステップ、
を有し、
前記複数のタブ画面はそれぞれ、複数のアイコンが配置可能であって、前記複数のアイコンには、特定の処理が対応付けられた特定アイコンが含まれ、
さらに、
前記複数のタブ画面のうち、特定の共通領域を設定させる２つ以上の前記タブ画面を選択するための特定の選択操作を前記入力部を介して受け付ける選択受付ステップと、
前記選択操作により選択された前記２つ以上の前記タブ画面をそれぞれ共通タブ画面として、各前記共通タブ画面に前記共通領域を設定する共通領域設定ステップと、
前記表示部に前記共通タブ画面が表示されている場合に、その表示されている前記共通タブ画面内の前記共通領域に対する、前記特定アイコンを配置させるための特定の配置操作を前記入力部を介して受け付ける配置受付ステップと、
前記配置操作に従って決定される前記特定の処理が対応付けられた前記特定アイコンを、全ての前記共通タブ画面における前記共通領域にそれぞれ配置する配置ステップと、
を実行する表示制御方法。
【請求項８】
表示部と、
入力部と、
制御部と、
を備えた表示制御装置における前記制御部に実行させる表示制御プログラムであって、
前記制御部に、
前記表示部に、複数のタブ、及び前記複数のタブのそれぞれに対応した複数のタブ画面のうち選択状態にある１つの前記タブに対応したタブ画面、を表示させる表示処理、
を実行させ、
前記複数のタブ画面はそれぞれ、複数のアイコンが配置可能であって、前記複数のアイコンには、特定の処理が対応付けられた特定アイコンが含まれ、
さらに、前記制御部に、
前記複数のタブ画面のうち、特定の共通領域を設定させる２つ以上の前記タブ画面を選択するための特定の選択操作を前記入力部を介して受け付ける選択受付処理と、
前記選択操作により選択された前記２つ以上の前記タブ画面をそれぞれ共通タブ画面として、各前記共通タブ画面に前記共通領域を設定する共通領域設定処理と、
前記表示部に前記共通タブ画面が表示されている場合に、その表示されている前記共通タブ画面内の前記共通領域に対する、前記特定アイコンを配置させるための特定の配置操作を前記入力部を介して受け付ける配置受付処理と、
前記配置操作に従って決定される前記特定の処理が対応付けられた前記特定アイコンを、全ての前記共通タブ画面における前記共通領域にそれぞれ配置する配置処理と、
を実行させる表示制御プログラム。
【発明の詳細な説明】
【技術分野】
【０００１】
本発明は、表示部に表示される画面の内容を制御する技術に関する。
【背景技術】
【０００２】
特許文献１には、タッチパネルにタブ形式の待機画面を表示させ、タブを切り替えることによって処理実行用メニューの表示内容を切り替え可能な処理実行装置が記載されている。
【０００３】
特許文献１に記載の処理実行装置では、タブ毎に、特定の処理が登録されたボタンが複数配列される。ユーザは、ボタンに対する特定の処理の登録を任意に行うことができる。ユーザは、登録されているいずれかの処理を実行させたい場合、その処理のボタンが配列されているタブを選択してその処理のボタンを表示させ、そのボタンを操作することで、その処理を実行させることができる。
【先行技術文献】
【特許文献】
【０００４】
【特許文献１】特開２０１６−１５７２３２号公報
【発明の概要】
【発明が解決しようとする課題】
【０００５】
タブ形式の待機画面を備えた各種装置の使用形態としては、例えば、管理者が、各タブをそれぞれ個人もしくはグループに割り当て、タブ毎に適宜、特定の処理のボタンを配置させる、という使用形態が考えられる。
【０００６】
しかし、ボタンに登録可能な特定の処理として、特定の個人またはグループに限らず、複数の個人またはグループに共通して頻繁に使用される処理が存在することも考えられる。この場合、例えば、管理者がその処理を各タブに対して順次登録していけば、各タブのユーザがそれぞれその処理を実行できるようになるが、これを実現するためには管理者に多くの手間がかかる。
【０００７】
一方、特定のタブのボタンにのみ当該特定の処理を登録しておいて、ユーザはそのボタンを使用したい場合にはその都度その特定のタブに切り替える、という使用形態も考えられる。しかしそのような使用形態は、ユーザが当該ボタンを使用しようとする度にそのボタンが配置されているタブに切り替えなければならないため、ユーザにとって不便である。
【０００８】
本発明は上記課題に鑑みなされたものであり、タブ形式の画面において、目的とする処理を効率的に選択して実行させることができるようにすることを目的とする。
【課題を解決するための手段】
【０００９】
本発明の表示制御装置は、表示部と、入力部と、制御部とを備える。制御部は、表示処理を実行する。表示処理は、表示部に、複数のタブ、及びそれら複数のタブのそれぞれに対応した複数のタブ画面のうち選択状態にある１つのタブに対応したタブ画面、を表示させる処理である。複数のタブ画面はそれぞれ、複数のアイコンが配置可能であって、複数のアイコンには、特定の処理が対応付けられた特定アイコンが含まれる。
【００１０】
制御部は、さらに、選択受付処理と、共通領域設定処理と、配置受付処理と、配置処理とを実行する。選択受付処理は、複数のタブ画面のうち、特定の共通領域を設定させる２つ以上のタブ画面を選択するための特定の選択操作を入力部を介して受け付ける処理である。共通領域設定処理は、選択操作により選択された２つ以上のタブ画面をそれぞれ共通タブ画面として、各共通タブ画面に共通領域を設定する処理である。配置受付処理は、表示部に共通タブ画面が表示されている場合に、その表示されている共通タブ画面内の共通領域に対する、特定アイコンを配置させるための特定の配置操作を入力部を介して受け付ける処理である。配置処理は、配置操作に従って決定される特定の処理が対応付けられた特定アイコンを、全ての共通タブ画面における共通領域にそれぞれ配置する処理である。
【００１１】
このような構成の表示制御装置によれば、ユーザは、複数のタブ画面のうち任意の２つ以上のタブに共通領域を設定できる。そして、共通領域が設定されている何れかのタブ画面が表示されている状態で、共通領域に対して特定アイコンを配置させれば、その特定アイコンが、現在表示されているタブのタブ画面だけでなく、共通領域が設定されている全てのタブ画面における共通領域に配置される。そのため、ユーザは、複数のタブ画面の中から、目的とする処理が対応付けられたアイコンを効率的に選択でき、その特定の処理を効率的に実行させることができる。
【図面の簡単な説明】
【００１２】
【図１】実施形態の画像処理装置の構成を示すブロック図である。
【図２】実施形態の画像処理装置の操作パネルを示す説明図である。
【図３】実施形態の待機画面を示す説明図である。
【図４】実施形態の待機編集画面におけるアイコンの登録例を示す説明図である。
【図５】実施形態の待機編集画面における共通領域の削除例を示す説明図である。
【図６】実施形態のメイン制御処理の一部のフローチャートである。
【図７】実施形態のメイン制御処理の他の一部（図６の続き）のフローチャートである。
【図８】実施形態のメイン制御処理のさらに他の一部（図７の続き）のフローチャートである。
【図９】実施形態の設定選択画面の一例を示す説明図である。
【図１０】実施形態の設定タブ選択画面の一例を示す説明図である。
【図１１】実施形態の処理方法選択画面の一例を示す説明図である。
【発明を実施するための形態】
【００１３】
以下、本発明の実施形態について、図面を参照しながら説明する。
［１．実施形態］
（１−１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１４】
画像処理装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１５】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１７】
記憶部１２には、後述する待機画面２５（図２参照）を含む、表示部１３に表示させる各種画面のデータが記憶されている。また、記憶部１２には、後述する図６〜図８のメイン制御処理のプログラムも記憶されている。上記各機能を実行するためのプログラムは、メイン制御処理のプログラムの一部として含まれていてもよいし、メイン制御処理のプログラムとは別のプログラムであってもよい。
【００１８】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００１９】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２０】
なお、タッチパネル１４ａは、指示操作として接触のみ検出可能な構成であってもよいし、近接のみ検出可能な構成であってもよいし、接触及び近接の両方を検出可能な構成であってもよい。
【００２１】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２２】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２３】
画像読取部１５は、イメージセンサを備え、原稿の画像を読み取り、読み取った画像の画像データを生成する。画像読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、画像読取部１５は、原稿台或いはＡＤＦにセットされた原稿に対し、その両面の画像を読み取るいわゆる両面スキャンを実行可能に構成されていてもよい。
【００２４】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２５】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２６】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２７】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２８】
（１−２）操作パネルの構成
画像処理装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００２９】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００３０】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００３１】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３２】
（１−３）待機画面の説明
待機画面２５は、複数のタブを有するタブ形式の画面である。複数のタブにはそれぞれ個別にタブ画面が対応付けられている。待機画面２５には、複数のタブのうち選択状態にされている１つのタブに対応したタブ画面が表示される。待機画面２５を表示させるために必要な各種情報や、待機画面２５に対して入力部１４を介して各種入力操作が行われた場合に実行すべき処理の内容に関する情報などは、記憶部１２に記憶されている。
【００３３】
図２に示すように、待機画面２５には、最大４つのタブが表示される。なお、本実施形態では、タブの総数Ｎｔは、待機画面２５に同時に表示可能なタブの最大数である４よりも多い。図２は、待機画面２５に、第１タブ〜第ＮｔタブのＮｔ個のタブのうち、第１タブ３１、第２タブ３２、第３タブ３３及び第４タブ３４が表示されている例を示している。
【００３４】
各タブには、それぞれ、当該タブの名称が表示される。選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、タブ名が「基本機能１」の第１タブ３１が選択状態にされていて、第１タブ３１が他のタブとは異なる色で表示されている例を示している。
【００３５】
待機画面２５には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態にされている第１タブ３１に対応付けられている第１タブ画面５０が表示されている例を示している。
【００３６】
各タブに対応付けられている各タブ画面は、複数のアイコンが配置された画面である。本実施形態では、１つのタブ画面に８個のアイコンが配置される。即ち、図２に示すように、第１タブ画面５０には、第１アイコン５１〜第８アイコン５８が配置される。各アイコンの具体的種類は、後述するように変更することができる。
【００３７】
図２に例示する第１タブ画面５０においては、第１アイコン５１はファクスアイコンであり、第２アイコン５２はコピーアイコンであり、第５アイコン５５は設定メニューアイコンである。第３アイコン５３、第４アイコン５４、第６アイコン５６〜第８アイコン５８は未登録アイコンである。
【００３８】
待機画面２５における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００３９】
現在選択状態にされているタブのタブ画面から、他のタブのタブ画面に切り替えたい場合は、切り替え先のタブをタップすればよい。現在選択状態のタブ以外のタブをタップすると、そのタップしたタブが選択状態にされて、待機画面２５には、その新たに選択状態にされたタブに対応したタブ画面が表示される。
【００４０】
例えば、図３に示されているように、待機画面２５に、第１タブ３１に対応した第１タブ画面５０が表示されているとする。この状態から、例えば、タブ名が「基本機能２」の第２タブ３２をタップすると、図３に示すように、選択状態のタブが第１タブ３１から第２タブ３２に切り替わり、その切り替わり後の第２タブ３２に対応した第２タブ画面６０が表示される。
【００４１】
第２タブ画面６０にも、第１アイコン６１〜第８アイコン６８の８個のアイコンが表示される。第２タブ画面６０において、第１アイコン６１は第１タブ画面５０の第１アイコン５１と同じファクスアイコンであり、第２アイコン６２は第１タブ画面５０の第２アイコン５２と同じコピーアイコンである。第３アイコン６３〜第８アイコン６８は未登録アイコンである。
【００４２】
また、第２タブ３２に対応した第２タブ画面６０が表示されている状態から、例えば、タブ名が「カスタム２」の第４タブ３４をタップすると、図３に示すように、選択状態のタブが第２タブ３２から第４タブ３４に切り替わり、その切り替わり後の第４タブ３４に対応した第４タブ画面７０が表示される。
【００４３】
第４タブ画面７０にも、第１アイコン７１〜第８アイコン７８の８個のアイコンが表示される。第４タブ画面７０において、第１アイコン７１はショートカットアイコンであり、第２アイコン７２〜第８アイコン７８は未登録アイコンである。
【００４４】
各タブ画面に配置される各アイコンには、それぞれ、特定の処理が対応付けられている。ユーザによりいずれかのアイコンがタップされると、そのアイコンに対応付けられている特定の処理が実行される。
【００４５】
待機画面２５のタブ画面に配置可能なアイコンには、大きく分類すると、三種類のアイコンがある。具体的に、機能実行用アイコンと、設定用アイコンと、未登録アイコンがある。機能実行用アイコンは、当該画像処理装置１０が有する上記規定の複数の機能のうち何れかの機能を実行させるための、その実行対象の機能が登録されたアイコンである。つまり、機能実行用アイコンには、登録されている機能を実現させるための特定の処理が対応付けられている。そして、機能実行用アイコンがタップされると、対応付けられている特定の処理が実行されることによって、登録されている機能が実現される。
【００４６】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００４７】
未登録アイコンは、機能及び設定項目等が何ら登録されていないアイコンであり、ユーザによって任意の機能実行用アイコン或いは設定用アイコンを新規に登録することが可能なアイコンである。つまり、未登録アイコンには、任意の機能の機能実行用アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能実行用アイコン或いは設定用アイコンとしての新規登録が実現される。
【００４８】
機能実行用アイコンは、さらに、規定機能アイコンと、ショートカットアイコンとの二種類に分類される。規定機能アイコンは、当該画像処理装置１０が有するスキャン機能、印刷機能、コピー機能、ファクス機能、ウェブサービス機能、便利ツール機能などの規定の複数の機能のうち何れかを実行させるための、その実行対象の規定の機能が登録されたアイコンである。規定機能アイコンに登録されている各種設定値は、予め決められたデフォルト値である。ただし、そのデフォルト値は、規定機能アイコンをタップして対応機能を実行させる際にユーザが確認、変更することができる。
【００４９】
ショートカットアイコンには、上記規定の複数の機能のうちいずれかをユーザが予め設定した特定の実行条件で実行させるショートカット機能が登録される。
規定機能アイコン及び設定用アイコンの少なくとも一方は、画像処理装置１０の出荷時において、少なくとも１つのタブ画面において少なくとも１つ、予め配置されていてもよい。
【００５０】
ショートカットアイコンは、基本的には、当該画像処理装置１０の出荷時から予め配置されているアイコンではなく、未登録アイコンに対してユーザが任意に登録操作を行うことによって、その未登録アイコンに代わって配置されるアイコンである。ただし、ショートカットアイコンも、画像処理装置１０の出荷時において、少なくとも１つのタブ画面において少なくとも１つ、予め配置されていてもよい。
【００５１】
規定機能アイコンが、各設定値の初期値が予め決められているのに対し、ショートカットアイコンについては、ユーザ自ら、実行対象の機能、及びその機能をどのような設定値で実行させるか、などについて任意に設定、登録することができる。
【００５２】
なお、未登録アイコンに対しては、任意のショートカット機能を登録してショートカットアイコンとして登録できるほか、任意の機能を登録することにより規定機能アイコンとして登録したり、任意の設定項目を登録することにより設定用アイコンとして登録したりすることもできる。
【００５３】
未登録アイコンが機能実行用アイコン又は設定用アイコンとして登録された場合、当該未登録アイコンが配置されている位置には、当該未登録アイコンに代わって、登録された機能実行用アイコン又は設定用アイコンが配置される。
【００５４】
図２及び図３に示す第１タブ画面５０において、第１アイコン５１として配置されているファクスアイコンは、ファクス機能を実行させるための規定機能アイコンである。第２アイコン５２として配置されているコピーアイコンは、コピー機能を実行させるための規定機能アイコンである。第５アイコン５５として配置されている設定メニューアイコンは、少なくとも一種類の設定項目の設定値を設定するための設定用アイコンである。図３に示す第４タブ画面７０において、第１アイコン７１は、ファクシミリ機能を特定の設定条件で実行させるためのショートカット機能が登録されたショートカットアイコンである。
【００５５】
また、後述する図４（ｂ）に示す第１タブ画面５０及び第２タブ画面６０において、第３アイコン５３、６３として配置されている各スキャンアイコンは、スキャン機能を実行させるための規定機能アイコンである。なお、これら２つのスキャンアイコンは全く同じであり、同じ特定の処理が対応付けられている。
【００５６】
また、後述する図４（ｂ）に示す第１タブ画面５０において、第８アイコン５８として配置されているアイコンは、スキャンｔｏファイルのショートカット機能が登録されたショートカットアイコンである。スキャンｔｏファイルは、スキャン機能の具体的態様の１つである。
【００５７】
ショートカット機能は、前述の通り、未登録アイコンに対してユーザが任意に登録することができる。ショートカット機能として登録可能な機能は、例えば、前述の規定の機能、即ちファクス機能、コピー機能、スキャン機能、ウェブサービス機能、便利ツール機能などである。
【００５８】
例えばコピー機能のショートカット機能を登録したい場合は、まず、何れかのタブのタブ画面に含まれている未登録アイコンをタップする。未登録アイコンをタップすると、登録可能な機能及び設定項目のリストが表示される。ユーザは、表示されているリストの中から、登録対象の機能又は設定項目を選択できる。
【００５９】
何れかの設定項目が選択された場合は、その設定項目に対応した設定用アイコンが新規に登録される。つまり、登録対象の未登録アイコンが、選択された設定項目に応じた特定の処理が対応付けられた設定用アイコンに変更される。以後、この設定用アイコンをタップすると、対応付けられている特定の処理が実行され、登録されている設定項目の設定値を確認したり変更したりすることができる。
【００６０】
一方、未登録アイコンがタップされた後、リストの中から何れかの機能が選択された場合は、さらに、その機能について、規定機能アイコンとして登録するか、それともショートカットアイコンとして登録するかをユーザに選択させるための選択画面が表示される。
【００６１】
規定機能アイコンとしての登録が選択された場合は、選択された機能に対応した規定機能アイコンが新規に登録される。つまり、登録対象の未登録アイコンが、選択された機能に応じた特定の処理が対応付けられた規定機能アイコンとして登録される。
【００６２】
本実施形態では、全く同じ特定の処理が対応付けられたアイコンを、１つのタブ画面内に複数配置させたり、異なる複数のタブ画面にそれぞれ配置させたりすることができる。出荷時からデフォルトで配置されている規定機能アイコン或いは設定用アイコンがある場合も、その出荷時からデフォルトで配置されているアイコンとは別に、そのアイコンと全く同じアイコンを配置させることができる。
【００６３】
一方、ショートカット機能の登録が選択された場合は、選択された機能を具体的にどのような実行条件で実行させるかをユーザに設定させるための設定画面が表示される。ユーザは、この設定画面を介して、選択した機能の具体的な実行条件、即ち選択した機能を実行させるために必要な各種設定項目の設定値を任意に設定することができる。そして、ユーザにより設定完了を示す操作が行われると、選択した機能を特定の実行条件で実行させることが可能なショートカットアイコンが生成される。つまり、登録対象の未登録アイコンが、実行条件に応じた特定の処理が対応付けられたショートカットアイコンとして登録される。以後、このショートカットアイコンをタップすることで、対応付けられている特定の処理が実行され、登録されている機能を、登録されている特定の実行条件に従って容易に実行させることができる。
【００６４】
（１−４）管理機能の説明
図２及び図３に示すように、待機画面２５には、管理者ボタン２８が表示される。管理者ボタン２８をタップすると、管理者認証用の認証画面が表示される。その認証画面に対し、パスワード入力などの認証用の所定の入力操作を行うと、認証処理が行われる。
【００６５】
認証処理は、特定の認証条件が成立したか否かを判断する処理である。認証条件の１つには、入力されたパスワードが予め登録されている正規のパスワードと一致すること、が含まれる。認証処理の結果、認証条件が成立した場合は、動作モードが管理者モードとなり、表示部１３に、図４（ａ）に示すような、待機編集画面９０が表示される。待機編集画面９０は、各タブの各タブ画面に配置される各アイコンを対象として、新規登録、登録解除、登録内容の編集などを行うことが可能な画面である。
【００６６】
待機編集画面９０には、図４（ａ）に示すように、待機画面２５と同様、複数のタブと、選択状態にされているタブに対応したタブ画面とが表示される。待機編集画面９０に表示される複数のタブ及びタブ画面の内容は、待機画面２５と基本的に同じである。また、タブの選択状態を切り替えることによってタブ画面の内容を切り替えることができることについても、待機画面２５と同様である。
【００６７】
待機編集画面９０には、さらに、図４（ａ）に示すように、各タブの各タブ画面に含まれる各アイコンの一部又は全てを処理対象として各種の編集操作を行うための、編集操作の種類毎の個別のアイコン編集ボタンが表示される。具体的に、本実施形態では、アイコン編集ボタンとして、左移動ボタン８１、右移動ボタン８２、入れ替えボタン８３、削除ボタン８４、及び一括削除ボタン８５が表示される。
【００６８】
一括削除ボタン８５は、全てのタブに配置されている全てのアイコンに対する登録状態を解除して、全てのアイコンを未登録アイコンに切り替えるためのボタンである。削除ボタン８４は、選択されたアイコン（但し未登録アイコンを除く）に対する登録状態を解除して未登録アイコンに切り替えるためのボタンである。なお、以下の説明において、配置されているアイコンを「削除」するとは、当該アイコンに対する登録状態を解除して未登録アイコンにすることを意味する。
【００６９】
入れ替えボタン８３は、何れか２つのアイコンの位置を入れ替えるためのボタンである。右移動ボタン８２は、何れか１つのアイコンを、当該アイコンの右側に移動させるためのボタンである。左移動ボタン８１は、何れか１つのアイコンを、当該アイコンの左側に移動させるためのボタンである。
【００７０】
待機編集画面７０においてアイコンの新規登録、編集、削除、移動、入れ替えなどの各操作を行った後に待機画面２５に戻ると、待機画面２５には、待機編集画面７０で行った各操作の結果が反映される。
【００７１】
（１−５）タブ画面内に設定されている領域の説明
図２及び図３に示すように、各タブ画面には、少なくとも個別領域４２が設定されている。さらに、各タブ画面のうち何れか２つ以上に対しては、個別領域４２とは別の共通領域４１を設定可能である。
【００７２】
ユーザは、各タブ画面のうちどのタブ画面に対して共通領域４１を設定するかについて、任意に決めることができる。ユーザは、例えば、Ｎｔ個全てのタブ画面に対して共通領域４１を設定することができる。また例えば、Ｎｔ個のタブ画面のうち任意の２つ以上のタブ画面を選択して共通領域４１を設定することができる。
【００７３】
本実施形態では、一例として、Ｎｔ個のタブ画面のうち、少なくとも第１タブ画面５０及び第２タブ画面６０に対して共通領域４１が設定されているものとする。図３には、第１タブ画面５０及び第２タブ画面６０においては共通領域４１が設定されていて、第４タブ画面７０には共通領域４１が設定されていないことが図示されている。
【００７４】
また、共通領域４１が設定されるタブ画面内において、タブ画面中のどの範囲に共通領域４１を設定するかについても、ユーザが任意に決めることができる。例えば、タブ画面全体における一部領域のみを共通領域４１と設定することができるし、タブ画面全体を共通領域４１として設定することもできる。一部領域のみが共通領域４１として設定された場合、共通領域４１以外の他の領域は、個別領域４２として設定される。タブ画面全体が共通領域４１として設定された場合は、共通領域４１が設定されたタブ画面においては個別領域４２が存在しなくなる。
【００７５】
本実施形態では、共通領域４１の範囲の設定は、例えば、アイコン単位で行うことができる。即ち、タブ画面に配置される複数のアイコンのうち、共通領域４１内のアイコンとして設定したいアイコンが少なくとも１つ選択されることによって、当該選択されたアイコンを含む特定の領域が共通領域４１に設定される。選択されなかったアイコンを含む領域は、個別領域４２として設定される。なお、共通領域４１の範囲の設定方法として、上記のようにアイコン単位で行うことはあくまでも一例である。
【００７６】
本実施形態では、一例として、図３に示すように、タブ画面において、８個のアイコンのうち第１アイコン〜第４アイコンが配置される上半分の領域が共通領域４１に設定されていて、第５アイコン〜第８アイコンが配置される下半分の領域が個別領域４２に設定されているものとする。
【００７７】
なお、以下の説明では、共通領域が設定されているタブ画面のことを「共通タブ画面」と称し、共通領域が設定されているタブ画面のタブのことを「共通タブ」と称することがある。
【００７８】
共通領域４１に配置されるアイコンは、各共通タブ画面全て同じである。つまり、タブを切り替えていずれの共通タブ画面を表示させても、共通領域４１に配置されているアイコンは全く同じである。
【００７９】
本実施形態では、いずれかの共通タブ画面が表示されている状態で、そのタブ画面内の共通領域４１において機能実行用アイコン又は設定用アイコンを新規登録すると、そのアイコンは、現在表示されているタブ画面に配置されるのに加えて、他の各共通タブ画面の共通領域４１における同じ位置に対してもそれぞれ配置される。
【００８０】
また、いずれかの共通タブ画面が表示されている状態で、そのタブ画面内の共通領域４１に配置されているいずれかのアイコンを削除すると、そのアイコンが現在表示されているタブ画面から削除されるのに加えて、他の各共通タブ画面の共通領域４１における同じ位置に配置されている同じ各アイコンもそれぞれ削除される。
【００８１】
また、いずれかの共通タブ画面が表示されている状態で、そのタブ画面内の共通領域４１に配置されているいずれかのアイコンに対する編集操作を行うと、そのアイコンに対する登録内容が編集操作に応じて変更されるのに加えて、他の各共通タブ画面の共通領域４１における同じ位置に配置されている同じ各アイコンに対する登録内容も全く同じように変更される。
【００８２】
つまり、共通タブ画面中の共通領域４１内のアイコンに対する登録、編集、移動、削除等の各操作内容は、現在表示されている共通タブ画面だけでなく他の全ての共通タブ画面における同じ位置のアイコンに対しても同様に反映される。その結果、各共通タブ画面における、共通領域４１内に配列されているアイコンは、全て同じ内容となる。
【００８３】
例えば、図４（ａ）の左側に示す待機編集画面９０が表示された状態、即ち第１タブ画面５０が表示されている状態で、共通領域４１内の未登録アイコンである第３アイコン５３を、スキャン機能が登録された規定機能アイコンにしたとする。この場合、図４（ｂ）に示すように、現在表示されている第１タブ画面５０内の第３アイコン５３がスキャン機能の規定機能アイコンとなるのに加え、第２タブ画面６０を含む他の各共通タブ画面における共通領域４１内の同じ位置のアイコンも、同じスキャン機能の規定機能アイコンとなる。
【００８４】
一方、いずれかのタブ画面が表示されている状態で、そのタブ画面内の個別領域４２においてアイコンの登録、削除、編集等の各操作を行った場合は、その操作内容は、現在表示されているタブ画面内の対象アイコンに対してのみ反映され、他のタブ画面には反映されない。
【００８５】
例えば、図４（ａ）の左側に示す待機編集画面９０が表示された状態、即ち第１タブ画面５０が表示されている状態で、個別領域４２内の未登録アイコンである第８アイコン５８に対してスキャンｔｏファイルのショートカットアイコンを新規登録したとする。この場合、図４（ｂ）に示すように、現在表示されている第１タブ画面５０内の第８アイコン５８はショートカットアイコンとして登録されるが、第２タブ画面６０を含む他の各タブ画面における個別領域４２内の同じ位置のアイコンにはその登録内容は反映されない。
【００８６】
動作モードが管理者モードである場合は、共通領域４１内のアイコン及び個別領域４２内のアイコンのいずれに対しても、新規登録、削除、移動、編集等の各操作が可能である。一方、動作モードが管理者モードではない一般モードである場合は、個別領域４２に対してはアイコンの新規登録、編集が可能であるが、共通領域４１に対してはアイコンの新規登録、編集はできない。また、動作モードが一般モードである場合、共通領域４１内のアイコンの削除、移動、入れ替えはできない。共通領域４１内のアイコンの削除、移動、入れ替えは、管理者モードで表示可能な待機編集画面９０（図４（ａ）参照）において実行可能である。また、動作モードが一般モードである場合、個別領域４２内のアイコンについては、ショートカットアイコンを削除することは可能であるが、ショートカットアイコン以外のアイコンの削除、アイコンの移動、及びアイコンの入れ替えはできない。個別領域４２内のショートカットアイコン以外のアイコンの削除、アイコンの移動及びアイコンの入れ替えは、管理者モードで実行可能である。
【００８７】
なお、管理者モード及び一般モードのそれぞれにおいて、アイコンの新規登録、編集、削除、移動、入れ替えなどを許可するか否かについては、領域４１，４２毎に適宜決めてよい。
【００８８】
（１−６）共通領域設定の有効、無効切り替え機能
本実施形態の画像処理装置１０は、タブ画面に共通領域４１を設定するか否かをユーザが任意に決めることができるように構成されている。具体的に、図９に示す共通領域設定画面１００において、共通領域設定を有効又は無効に設定できる。共通領域設定が無効に設定されると、全てのタブ画面から共通領域４１が削除されて、全てのタブ画面は個別領域４２のみを有する画面となる。共通領域設定が有効に設定されると、ユーザは、共通領域４１を設定する複数のタブ画面を選択してそれら複数のタブ画面に共通領域４１を設定することができる。
【００８９】
図５（ａ）に示すように第１タブ画面５０及び第２タブ画面６０に共通領域４１が設定されている状態で、共通領域設定が無効にされると、図５（ｂ）に示すように、これら各共通タブ画面５０，６０から共通領域４１がなくなり、個別領域４２のみとなる。
【００９０】
共通領域設定が有効から無効に変更される場合、共通領域４１に、未登録アイコン以外のアイコン（以下「登録アイコン」とも称する）が存在している場合は、ユーザは、その共通領域４１内の登録アイコンをどのようにするかについて決めることができる。
【００９１】
具体的に、ユーザは、全削除、全存続、及び一部存続のうちいずれかを選ぶことができる。全削除とは、全ての共通タブ画面において共通領域４１内に配置されている登録アイコンの登録を解除して未登録アイコンに変更することである。全存続とは、全ての共通タブ画面において共通領域４１内に配置されている登録アイコンの登録状態をそのまま維持させることである。
【００９２】
一部存続とは、各共通タブ画面のうち特定の１つ以上の共通タブ画面における共通領域４１内に配置されている登録アイコンのみ登録状態を存続させて他の共通タブ画面における共通領域４１内に配置されている登録アイコンの登録は解除することである。一部存続を選んだ場合、ユーザは、共通領域４１内の登録アイコンを存続させたい共通タブ画面を任意に選択することができる。
【００９３】
図５（ｂ）は、図５（ａ）のように共通領域設定が有効に設定されている状態から、共通領域設定が無効に変更された場合であって、共通領域４１内の登録アイコンの処理方法として一部存続が選択され、存続させるタブ画面として第１タブ画面５０が選択された例を示している。
【００９４】
図５（ｂ）において、第１タブ画面５０については、共通領域設定が無効にされた後も無効にされる前の共通領域４１内に配置されていた２つの登録アイコン５１，５２がそのまま存続して配置されている。一方、第２タブ画面６０については、共通領域設定が無効にされる前の共通領域４１に配置されていた２つの登録アイコン６１，６２は、削除されて、いずれも未登録アイコンとなる。なお、図５（ｂ）は、共通領域設定が無効にされているため、各タブ画面は全領域が個別領域４２となっている。
【００９５】
共通領域設定が無効から有効に変更される場合、共通領域４１として設定される範囲内に登録アイコンが存在している場合は、その登録アイコンをどのようにするかにつてユーザが選択できる。具体的に、ユーザは、共通領域４１として設定される範囲内に存在している登録アイコンを削除させることができる。また、ユーザは、共通領域４１として設定される範囲内に存在している登録アイコンの一部又は全てを、１つ以上の任意のタブ画面における個別領域４２に配置させることもできる。
【００９６】
（１−７）メイン制御処理の説明
次に、前述の各種機能を実現するために制御部１１が実行するメイン制御処理について、図６〜図８を用いて説明する。制御部１１は、電源ボタン５の押下により電源が投入されて起動すると、図６〜図８のメイン制御処理を実行する。
【００９７】
制御部１１は、図６〜図８のメイン制御処理を開始すると、Ｓ１１０（図６参照）で、表示部１３に待機画面２５を表示させる。なお、タブ画面の初期値、即ち、起動後最初に待機画面２５に表示させるタブ画面、機能実行終了後に表示される待機画面２５中のタブ画面、ホームボタン８の押下時に表示される待機画面２５中のタブ画面は、適宜決めてよく、本実施形態では例えば第１タブ画面５０である。
【００９８】
Ｓ１２０では、待機画面２５中の管理者ボタン２８がタップされたか否か判断する。管理者ボタン２８がタップされていない場合は、Ｓ１３０で、待機画面２５に表示されている複数のタブのいずれかがタップされたか否か判断する。何れかのタブがタップされた場合は、Ｓ１４０で、タブ切替処理を実行する。具体的に、タップされたタブを選択状態にして、そのタブに対応付けられたタブ画面を表示させる。Ｓ１４０でタブ画面を切り替えた後は、Ｓ１１０に戻る。
【００９９】
Ｓ１３０で、いずれのタブもタップされていない場合は、Ｓ１５０に進む。Ｓ１５０では、登録アイコンがタップされたか否か判断する。Ｓ１５０で、登録アイコンがタップされた場合は、Ｓ１６０に進む。Ｓ１６０では、タップされたアイコンに対応付けられている特定の処理を実行する。これにより、当該アイコンに登録されている機能或いは各種設定が実現される。Ｓ１６０の処理実行後は、Ｓ１１０に戻る。
【０１００】
Ｓ１５０で、登録アイコンがタップされていない場合は、Ｓ１７０に進む。Ｓ１７０では、未登録アイコンに対する新規のアイコン登録の指示がなされたか否か判断する。新規のアイコン登録の指示には、例えば、未登録アイコンに対するタップ操作が含まれる。Ｓ１７０で、未登録アイコンに対する新規のアイコン登録の指示がなされた場合は、Ｓ１８０に進む。
【０１０１】
Ｓ１８０では、登録指示が行われた未登録アイコンが共通領域４１に配置されているか否かを判断する。共通領域４１内の未登録アイコンに対して登録指示が行われた場合は、Ｓ１９０で、エラー処理を実行して、Ｓ１１０に戻る。Ｓ１９０のエラー処理は、共通領域４１内へのアイコンの新規登録は現在の動作モード（即ち一般モード）ではできないことをユーザに認識させるための処理である。
【０１０２】
Ｓ１８０で、個別領域４２内の未登録アイコンに対して登録指示が行われた場合は、Ｓ２００に進む。Ｓ２００では、ユーザによる入力操作を介して登録情報を取得する。登録情報とは、新規登録対象の機能あるいは設定項目等の具体的内容を示す情報である。さらに、取得した登録情報に基づいて、アイコンを新規登録する。これにより、登録指示が行われた未登録アイコンが、取得した登録情報に基づく特定の処理が対応付けられたアイコンに切り替わる。Ｓ２００でアイコンを新規登録した後は、Ｓ１１０に戻る。
【０１０３】
Ｓ１７０で、未登録アイコンに対する新規のアイコン登録の指示がなされていない場合は、Ｓ２１０に進む。Ｓ２１０では、登録済みのアイコンに対する編集指示がなされたか否か判断する。編集指示には、例えば、編集対象のアイコンを長押しする操作が含まれる。長押しとは、タッチパネル１４ａを介して操作対象を一定時間以上継続して指示操作した後に指示操作を解除することである。
【０１０４】
Ｓ２１０で、登録アイコンに対する編集指示がなされていない場合は、Ｓ１１０に戻る。Ｓ２１０で、登録アイコンに対する編集指示がなされた場合は、Ｓ２２０に進む。
Ｓ２２０では、編集指示が行われたアイコンが共通領域４１に配置されているか否かを判断する。共通領域４１内のアイコンに対して編集指示が行われた場合は、Ｓ２３０で、エラー処理を実行して、Ｓ１１０に戻る。Ｓ２３０のエラー処理は、共通領域４１内のアイコンの編集は現在の動作モード（即ち一般モード）ではできないことをユーザに認識させるための処理である。
【０１０５】
Ｓ２２０で、個別領域４２内のアイコンに対して編集指示が行われた場合は、Ｓ２４０に進む。Ｓ２４０では、ユーザによる入力操作を介して編集情報を取得する。編集情報とは、対象のアイコンに登録されている登録情報の変更内容を示す情報である。さらに、取得した編集情報に基づいてアイコンの登録情報を変更する。アイコンの登録情報を変更した後は、Ｓ１１０に戻る。
【０１０６】
Ｓ１２０で、管理者ボタン２８がタップされた場合は、Ｓ２５０で前述の認証処理を行う。そして、パスワード一致等の認証条件が成立して認証が成功した場合は、Ｓ２６０でログイン処理を行う。つまり、動作モードを管理者モードに設定する。そして、Ｓ２７０（図７参照）で、ユーザによる、共通領域設定の有効又は無効の設定操作を受け付ける。
【０１０７】
具体的に、図９に示す共通領域設定画面１００を表示部１３に表示させる。ユーザは、オフボタン１０１又はオンボタン１０２のいずれかをタップすることにより選択することができる。
【０１０８】
Ｓ２７０では、共通領域設定画面１００において、オフボタン１０１が選択された状態でＯＫボタン１０６がタップされた場合は、共通領域設定を無効に設定する。オンボタン１０２が選択された状態でＯＫボタン１０６がタップされた場合は、共通領域設定を有効に設定する。
【０１０９】
Ｓ２８０では、Ｓ２７０の処理によって共通領域設定が変更されたか否か、即ち無効から有効に変更、又は有効から無効に変更されたか否かを判断する。共通領域設定が変更されていない場合は、Ｓ３８０に進む。共通領域設定が変更された場合は、Ｓ２９０に進む。
【０１１０】
Ｓ２９０では、共通領域設定の変更の内容、即ち、無効から有効へ変更されたのか、それとも有効から無効へ変更されたのかを判断する。無効から有効へ変更された場合は、Ｓ３００に進む。
【０１１１】
Ｓ３００では、ユーザによる、共通領域４１を設定するタブの選択操作を受け付ける。具体的に、図１０に示す設定タブ選択画面１１０を表示部１３に表示させる。設定タブ選択画面１１０には、第１タブから第ＮｔタブまでのＮｔ個のタブに対応したＮｔ個のタブボタン１１１がリストアップされる。ユーザは、共通領域４１を設定したい任意の複数のタブのタブボタン１１１をタップすることにより、それら複数のタブボタン１１１を選択状態にすることができる。
【０１１２】
そして、複数のタブボタン１１１が選択状態にされている状態でＯＫボタン１１６がタップされたら、Ｓ３１０で、選択状態にされている各タブボタン１１１に対応した各タブのタブ画面に対して、共通領域４１を設定する。
【０１１３】
Ｓ３２０では、ユーザによる、共通領域が設定されたタブ画面における共通領域４１の設定範囲の選択操作を受け付ける。本実施形態では、前述のように、アイコン単位で共通領域４１の設定範囲を選択することができる。即ち、共通領域４１内に含めたいアイコンを選択することで、その選択したアイコンが含まれる領域が共通領域４１に設定され、その共通領域４１以外の、選択されなかったアイコンが含まれる領域は、個別領域４２に設定される。
【０１１４】
Ｓ３３０では、Ｓ３２０でユーザにより選択された共通領域４１内に登録アイコンが存在しているか否か判断する。登録アイコンが存在していない場合はＳ３８０に進む。登録アイコンが存在している場合はＳ３４０に進む。
【０１１５】
Ｓ３４０では、選択された共通領域４１内に存在している登録アイコンを削除してよいか否かをユーザに問い合わせる。例えば、削除してよいかどうかをユーザが選択可能な画面を表示部１３に表示させて、その画面へのユーザ入力を受け付ける。ユーザにより削除許可がなされた場合は、Ｓ３６０で、共通領域４１が設定された各タブ画面における、共通領域４１として選択された範囲内に存在している登録アイコンが、全て削除されて未登録アイコンとして登録される。
【０１１６】
ユーザにより削除許可がなされなかった場合は、Ｓ３７０で、回避処理を行う。具体的に、共通領域４１として選択された範囲内に存在している登録アイコンの一部又は全てを、１つ以上の任意のタブ画面における個別領域４２に移動させて配置する。どの登録アイコンを個別領域４２に移動させるか、またどのタブ画面の個別領域４２に移動させるかについては、ユーザが任意に選択することができる。Ｓ３６０又はＳ３７０の処理後は、Ｓ３８０に進む。
【０１１７】
Ｓ２９０で、共通領域設定が有効から無効へ変更された場合は、Ｓ３９０に進む。Ｓ３９０では、ユーザによる、共通領域４１内に存在していた登録アイコンの処理方法の指定操作を受け付ける。具体的に、図１１に示す処理方法選択画面１２０を表示部１３に表示させる。
【０１１８】
処理方法選択画面１２０には、全削除ボタン１２１、全存続ボタン１２２、一部存続ボタン１２３が表示される。ユーザは、全削除ボタン１２１をタップすることで前述の全削除を指定することができ、全存続ボタン１２２をタップすることで前述の全存続を指定でき、一部存続ボタン１２３をタップすることで前述の一部存続を指定できる。
【０１１９】
処理方法選択画面１２０において、全削除、全存続及び一部存続のうち何れかが処理方法として指定されると、Ｓ４００で、指定された処理方法に従って、各共通タブ画面の共通領域４１内の登録アイコンを処理する。Ｓ４１０では、各共通タブ画面に設定されている全ての共通領域４１の設定を解除する。これにより、全てのタブ画面が、共通領域４１を有しないタブ画面となる。Ｓ４１０の処理後はＳ３８０に進む。
【０１２０】
Ｓ３８０では、待機編集画面（図４参照）を表示部１３に表示させる。Ｓ３８０で待機編集画面を表示させた後は、Ｓ４２０（図８参照）に進む。
Ｓ４２０では、未登録アイコンに対する新規のアイコン登録の指示がなされたか否か判断する。未登録アイコンに対する新規のアイコン登録の指示がなされていない場合は、Ｓ４７０に進む。未登録アイコンに対する新規のアイコン登録の指示がなされた場合は、Ｓ４３０に進む。Ｓ４３０では、ユーザによる入力操作を介して登録情報を取得する。
【０１２１】
Ｓ４４０では、登録指示が行われた未登録アイコンが共通領域４１に配置されているか否かを判断する。共通領域４１内の未登録アイコンに対して登録指示が行われた場合は、Ｓ４５０に進む。Ｓ４５０では、現在表示されている共通タブ画面において直接登録指示がなされた未登録アイコンを含む、全ての共通タブ画面の共通領域４１内における同位置の未登録アイコンに対して、Ｓ４３０で取得した登録情報に基づくアイコンを新規登録する。これにより、全ての共通タブ画面における共通領域４１内の同じ位置に、同じアイコンが新規登録されて配置される。Ｓ４５０の新規登録後は、Ｓ４７０に進む。
【０１２２】
Ｓ４４０で、個別領域４２内の未登録アイコンに対して登録指示が行われた場合は、Ｓ４６０に進む。Ｓ４６０では、現在表示されているタブ画面において直接登録指示がなされた未登録アイコンに対してのみ、Ｓ４３０で取得した登録情報に基づくアイコンを新規登録する。Ｓ４６０の新規登録後は、Ｓ４７０に進む。
【０１２３】
Ｓ４７０では、登録済みのアイコンに対する編集指示がなされたか否か判断する。登録アイコンに対する編集指示がなされていない場合は、Ｓ５２０に進む。登録アイコンに対する編集指示がなされた場合は、Ｓ４８０に進む。Ｓ４８０では、ユーザによる入力操作を介して編集情報を取得する。
【０１２４】
Ｓ４９０では、編集指示が行われたアイコンが共通領域４１に配置されているか否かを判断する。共通領域４１内のアイコンに対して編集指示が行われた場合は、Ｓ５００に進む。Ｓ５００では、現在表示されているタブ画面において直接編集指示がなされたアイコンを含む、全ての共通タブ画面の共通領域４１内における当該アイコンと同じ位置にある同じ各アイコンに対して、Ｓ４８０で取得した編集情報に基づいて登録情報を登録する。これにより、全ての共通タブ画面における、同じ位置に配置されている同じアイコンに対する登録情報が一律に登録される。Ｓ５００の編集処理後は、Ｓ５２０に進む。
【０１２５】
Ｓ４９０で、個別領域４２内のアイコンに対して編集指示が行われた場合は、Ｓ５１０に進む。Ｓ５１０では、現在表示されているタブ画面において直接編集指示がなされたアイコンに対してのみ、Ｓ４８０で取得した編集情報に基づいて登録情報を登録する。Ｓ５１０の編集処理後は、Ｓ５２０に進む。
【０１２６】
Ｓ５２０では、登録アイコンに対して削除指示がなされたか否か判断する。Ｓ５２０における削除指示とは、登録アイコンをタップ操作することによりそのアイコンを削除対象として選択した後、削除ボタン８４をタップ操作することである。
【０１２７】
Ｓ５２０で、登録アイコンに対する削除指示がなされていない場合は、Ｓ５６０に進む。登録アイコンに対する削除指示がなされた場合は、Ｓ５３０に進む。Ｓ５３０では、削除指示がなされたアイコンが共通領域４１に配置されているか否か判断する。
【０１２８】
削除指示がなされたアイコンが共通領域４１に配置されている場合は、Ｓ５４０に進む。Ｓ５４０では、現在表示されているタブ画面において直接削除指示がなされたアイコンを含む、全ての共通タブ画面の共通領域４１における当該アイコンと同じ位置にある同じ各アイコンを、削除する。これにより、全ての共通タブ画面における、同じ位置に配置されている同じアイコンに対する登録が一律に解除されて、これらアイコンが全て未登録アイコンとして登録される。Ｓ５４０の処理後はＳ５６０に進む。
【０１２９】
Ｓ５３０で、削除指示がなされたアイコンが個別領域４２に配置されている場合は、Ｓ５５０に進む。Ｓ５５０では、現在表示されているタブ画面において直接削除指示がなされたアイコンのみ削除する。これにより、削除対象のアイコンの登録が解除されて未登録アイコンとして登録される。Ｓ５５０の処理後はＳ５６０に進む。
【０１３０】
Ｓ５６０では、ユーザによる特定のログアウト操作が行われたか否か判断する。ログアウト操作とは、動作モードを管理者モードから一般モードに戻すための操作である。ログアウト操作が行われていない場合は、Ｓ４２０に戻る。ログアウト操作が行われた場合は、Ｓ１１０に戻る。
【０１３１】
（１−８）実施形態の効果
以上説明した実施形態によれば、以下の（１ａ）〜（１ｅ）の効果を奏する。
（１ａ）画像処理装置１０のユーザは、複数のタブ画面のうち任意の２つ以上のタブに共通領域４１を設定できる。そして、共通領域４１が設定されている何れかのタブ画面が表示されている状態で、共通領域４１に対して機能実行用アイコン又は設定用アイコンを登録すれば、その登録したアイコンが、現在表示されているタブ画面だけでなく、共通領域４１が設定されている全てのタブ画面における共通領域４１に配置される。
【０１３２】
そのため、ユーザは、例えば、よく使う機能のアイコンを複数の共通タブ画面に対して容易に配置させることができる。これにより、その機能を実行させたい場合、ユーザは、複数のタブ画面の中から、その機能の処理が対応付けられたアイコンを効率的に選択でき、その機能の処理を効率的に実行させることができる。
【０１３３】
（１ｂ）ユーザは、図１０に示した設定タブ選択画面１１０を介して、共通領域４１を設定させたい複数のタブを容易に選択することができる。また、共通領域４１を設定させるタブ画面の変更も容易に行うことができる。
【０１３４】
（１ｃ）ユーザは、図９に示した共通領域設定画面１００を介して、共通領域設定を有効又は無効に設定できる。そのため、共通領域４１が不要であれば、共通領域設定を無効に設定することで、全てのタブ画面から共通領域４１を容易に取り除くことができる。
【０１３５】
（１ｄ）タブ画面に共通領域が設定された場合に、そのタブ画面におけるその共通領域内にすでに登録アイコンが配置されている場合は、その共通領域内の登録アイコンをどのようにするかについてユーザが選択できる。ユーザは、共通領域に設定された領域内に配されていた登録アイコンが不要である場合は、削除させることができる（Ｓ３６０）。逆に、共通領域に設定された領域内に配置されていた登録アイコンを、何れかのタブ画面の個別領域４２に移動させて残しておくこともできる（Ｓ３７０）。
【０１３６】
（１ｅ）共通領域設定が有効から無効に変更された場合、共通領域が設定されているタブ画面においては、その設定されている共通領域が解除されて、個別領域となる。その際、もとの共通領域に配置されていた登録アイコンをどのようにするかについて、ユーザは、図１１に示した処理方法選択画面１２０を介して指定することができる。具体的に、全削除、全存続、及び一部存続のいずれかを指定できる。
【０１３７】
そのため、共通領域から個別領域に変わった後も、もとの共通領域内に配置されていた登録アイコンをそのまま存続させたい場合は、全存続を指定することで可能である。また、もとの共通領域内に配置されていた登録アイコンが全て不要である場合は、全削除を指定することで、共通領域内に配置されていた登録アイコンを全て削除して未登録アイコンとして登録することができる。また、もとの共通領域内に配置されていた登録アイコンのうち一部のみ存続させて他を削除したい場合は、一部存続を指定することで可能である。
【０１３８】
なお、本実施形態において、未登録アイコン以外の、機能又は設定項目が登録された各登録アイコンは、いずれも、本発明の特定アイコンに相当する。また、Ｓ１１０は本発明の表示処理に相当する。Ｓ２７０は本発明の有効無効設定処理に相当する。Ｓ３００は本発明の選択受付処理に相当する。Ｓ３２０は本発明の範囲受付処理に相当する。Ｓ３６０は本発明の削除処理に相当する。Ｓ３１０は本発明の共通領域設定処理に相当する。Ｓ３９０〜Ｓ４００は本発明の解除関連処理に相当する。Ｓ４１０は本発明の共通領域解除処理に相当する。Ｓ４２０及びＳ４３０は本発明の配置受付処理に相当する。Ｓ４５０は本発明の配置処理に相当する。
【０１３９】
［２．他の実施形態］
以上、本発明の実施形態について説明したが、本発明は上述の実施形態に限定されることなく、種々変形して実施することができる。
【０１４０】
（２−１）上記実施形態では、図１０の設定タブ選択画面１１０を介して共通領域を設定するタブ画面を選択できるように構成されていたが、共通領域を設定するタブ画面を他の方法で選択できるようにしてもよい。例えば、待機画面２５が表示されている状態で、待機画面２５に表示されているタブに対する特定の操作を行うことで、タブ毎に、共通領域を設定するか否かを選択できるようにしてもよい。
【０１４１】
（２−２）図７では、共通領域設定が無効から有効に変更された場合に、共通領域を設定するタブ画面の選択（Ｓ３００）及びタブ画面内における共通領域の範囲の選択（Ｓ３２０）が可能であることを示した。これに対し、共通領域設定が変更されずに有効に設定された状態が継続している間であっても、任意のタイミングで、共通領域を設定するタブ画面を変更したり、タブ画面内における共通領域の範囲を変更したりすることができてもよい。
【０１４２】
なお、上記実施形態では、タブ画面における上半分の領域が共通領域４１、下半分の領域が個別領域４２であったが、このような領域分けはあくまでも一例であり、ユーザは、各領域４１、４２の範囲を任意に決めることができる。
【０１４３】
（２−３）上記実施形態では、共通領域４１に配置されるアイコンの数は４つであったが、共通領域４１に配置されるアイコンの数は４つ以外であってもよい。個別領域４２に配置されるアイコンの数についても、４つ以外であってもよい。
【０１４４】
（２−４）共通領域４１及び個別領域４２のそれぞれ、当該領域内にアイコンをどのように配置するか、また各アイコンをどのような形状にするか、などについては適宜決めてよい。
【０１４５】
（２−５）タブの総数Ｎｔは、待機画面２５に同時に表示可能なタブの最大数（上記実施形態では４つ）以下であってもよい。
（２−６）一般モードであっても、共通領域４１内及び個別領域４２内のそれぞれにおけるアイコンの移動、入れ替え、削除、共通領域４１と個別領域４２との間のアイコンの移動、入れ替えなどの操作が可能であってもよい。また、上記実施形態では、個別領域４２については、一般モードであってもアイコンの新規登録、編集が可能であったが、個別領域４２であっても一般モードではアイコンの新規追加、編集ができないようにしてもよい。逆に、一般モードであっても、共通領域４１及び個別領域４２のいずれにおいてもアイコンの新規登録、編集ができるようにしてもよい。
【０１４６】
（２−７）共通領域４１と個別領域４２を視覚的に区別できるようにする方法は適宜決めてよい。例えば、各領域４１、４２の背景の色或いは模様を区別してもよい。また例えば、各領域４１、４２に配置される各アイコンの色、模様、形状などを区別してもよい。また例えば、各領域４１、４２の境界に境界線を表示させてもよい。
【０１４７】
（２−８）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１４８】
３…操作パネル、１０…画像処理装置、１１…制御部、１２…記憶部、１３…表示部、
１４…入力部、１４ａ…タッチパネル、２５…待機画面、２８…管理者ボタン、３１…第１タブ、３２…第２タブ、３３…第３タブ、３４…第４タブ、３５…第５タブ、３６…第６タブ、４１…共通領域、４２…個別領域、５０…第１タブ画面、５１〜５８，６１〜６８，７１〜７８…アイコン、６０…第２タブ画面、７０…第４タブ画面、９０…待機編集画面、１００…共通領域設定画面、１１０…設定タブ選択画面、１２０…処理方法選択画面。
【図１】
2019012388.tif 000003
【図２】
2019012388.tif 000004
【図３】
2019012388.tif 000005
【図４】
2019012388.tif 000006
【図５】
2019012388.tif 000007
【図６】
2019012388.tif 000008
【図７】
2019012388.tif 000009
【図８】
2019012388.tif 000010
【図９】
2019012388.tif 000011
【図１０】
2019012388.tif 000012
【図１１】
2019012388.tif 000013